(57)【要約】【課題】  ＶＢＩ信号のような多重化信号自身に対して一定の判定基準を設定することにより、その判定基準を満たさないものをエラー信号と判定することにより、誤検出防止の割合を高めることができる誤検出防止回路を提供する。【解決手段】  多重化信号をスライスした２値判定値があって、前記２値判定値のスタートコードを検出し、前記スタートコードを評価するスタートコード検出回路１０を有し、前記スタートコードの評価に対するエラー判定を行い、前記信号に該当しない信号をエラー信号として出力するエラー判定回路１５を有しており、前記スタートコード検出回路１０が行うスタートコードの評価は、前記スタートコードに係る２値判定値の連続性をシステムクロック基準でカウントするものである。【選択図】  図１
2005252713.tif 000002
【特許請求の範囲】
【請求項１】
多重化信号をスライスした２値判定値を入力し、
前記２値判定値の識別コードを検出し、前記識別コードを評価する識別コード検出回路を有し、
前記識別コードの評価に対するエラー判定を行い、前記信号に該当しない信号をエラー信号として出力する誤検出防止回路であって、
前記識別コード検出回路が行う識別コードの評価は、前記識別コードに係る２値判定値のパルスの幅を参照するものであることを特徴とする誤検出防止回路。
【請求項２】
前記２値判定値のパルスの幅を参照する際には、特定のクロックを基準信号としたカウントが行われることにより、前記２値判定値のパルスの幅を計測することを特徴とする請求項１に記載の誤検出防止回路。
【請求項３】
前記特定のクロックは、システムクロックであることを特徴とする請求項２に記載の誤検出防止回路。
【請求項４】
前記識別コードは、スタートコードであり、
前記識別コード検出回路は、前記スタートコードを検出し、評価するスタートコード検出回路であり、
前記２値判定値のパルスの幅は、前記スタートコードに係る２値判定値の連続性であることを特徴とする請求項１から３の何れか１項に記載の誤検出防止回路。
【請求項５】
前記スタートコード検出回路は、
前記スタートコードに対して１又は２以上の連続性の検出範囲を設定し、各検出範囲に対応する２値判定値の連続性をシステムクロック基準でカウントする連続性検出回路を有することを特徴とする請求項４に記載の誤検出防止回路。
【請求項６】
前記連続性検出回路は、
２値判定値の立上り又は立下りを検出し、立上りパルス又は立下りパルスを出力する立上り（立下り）検出回路を有し、
前記立上り（立下り）検出回路が出力する立上りパルス又は立下りパルスは、２値判定値の連続性をシステムクロック基準でカウントするときのリセットタイミングとすることを特徴とする請求項５に記載の誤検出防止回路。
【請求項７】
前記連続性検出回路は、
前記連続性の判定結果をＯＫとするカウント値の範囲に対してマージンを設定することを特徴とする請求項５に記載の誤検出防止回路。
【請求項８】
前記２値判定値のスタートコードを抜き出すスタートコード検出用ウィンドウを生成する第１のウィンドウ生成回路を有し、
前記スタートコード検出用ウィンドウは、システムクロック基準でカウントしたときのカウント値であることを特徴とする請求項４に記載の誤検出防止回路。
【請求項９】
前記第１のウィンドウ生成回路は、
水平同期タイミングを、前記スタートコード検出用ウィンドウをシステムクロック基準でカウントするときのリセットタイミングとすることを特徴とする請求項８に記載の誤検出防止回路。
【請求項１０】
前記第１のウィンドウ生成回路は、
前記スタートコード検出用ウィンドウに対してマージンを設定することを特徴とする請求項８に記載の誤検出防止回路。
【請求項１１】
多重化信号をスライスした２値判定値を入力し、
前記２値判定値の識別コードを検出し、前記識別コードを評価する識別コード検出回路を有し、
前記識別コードの評価に対するエラー判定を行い、前記信号に該当しない信号をエラー信号として出力する誤検出防止回路であって、
前記識別コード検出回路が行う識別コードの評価は、前記識別コードに係る２値判定値のパルスの周期を参照するものであることを特徴とする誤検出防止回路。
【請求項１２】
前記２値判定値のパルスの周期を参照する際には、特定のクロックを基準信号としたカウントが行われることにより、前記２値判定値のパルスの周期を計測することを特徴とする請求項１１に記載の誤検出防止回路。
【請求項１３】
前記特定のクロックは、システムクロックであることを特徴とする請求項１２に記載の誤検出防止回路。
【請求項１４】
前記識別コードは、クロックランイン信号であり、
前記識別コード検出回路は、前記クロックランイン信号を検出し、評価するクロックランイン検出回路であり、
前記２値判定値のパルスの周期は、前記クロックランイン信号に係る２値判定値の周期であることを特徴とする請求項１１から１３の何れか１項に記載の誤検出防止回路。
【請求項１５】
前記２値判定値の立上り又は立下りを検出し、立上りパルス又は立下りパルスを出力する立上り（立下り）検出回路を有し、
前記クロックランイン検出回路は、
前記立上りパルス又は立下りパルスより前記クロックランイン信号の立上り又は立下り回数をカウントする立上り（立下り）回数カウンタと、前記クロックランイン信号の周期をシステムクロック基準でカウントする周期検出カウンタを有することを特徴とする請求項１４に記載の誤検出防止回路。
【請求項１６】
前記周期検出カウンタは、
前記立上り（立下り）検出回路が出力する立上りパルス又は立下りパルスを、前記クロックランイン信号の周期をシステムクロック基準でカウントするときのリセットタイミングとすることを特徴とする請求項１５に記載の誤検出防止回路。
【請求項１７】
前記立上り（立下り）回数カウンタは、
前記クロックランイン信号の立上り又は立下り回数の判定結果をＯＫとするカウント値の範囲に対してマージンを設定することを特徴とする請求項１５に記載の誤検出防止回路。
【請求項１８】
前記周期検出カウンタは、
前記クロックランイン信号の周期の判定結果をＯＫとするカウント値の範囲に対してマージンを設定することを特徴とする請求項１５に記載の誤検出防止回路。
【請求項１９】
前記２値判定値のクロックランイン信号を抜き出すクロックランイン検出用ウィンドウを生成する第２のウィンドウ生成回路を有し、
前記クロックランイン検出用ウィンドウは、システムクロック基準でカウントしたときのカウント値であることを特徴とする請求項１５に記載の誤検出防止回路。
【請求項２０】
前記第２のウィンドウ生成回路は、
水平同期タイミングを、前記クロックランイン検出用ウィンドウをシステムクロック基準でカウントするときのリセットタイミングとすることを特徴とする請求項１９に記載の誤検出防止回路。
【請求項２１】
前記第２のウィンドウ生成回路は、
前記クロックランイン検出用ウィンドウに対してマージンを設定することを特徴とする請求項１９に記載の誤検出防止回路。
【請求項２２】
前記識別コードは、データ部であり、
前記識別コード検出回路は、前記データ部を検出し、評価するデータ部エラー検出回路であり、
前記２値判定値の立上り又は立下りを検出し、立上りパルス又は立下りパルスを出力する立上り（立下り）検出回路を有し、
前記データ部エラー検出回路は、
前記立上りパルス又は立下りパルスより前記データ部の立上り又は立下り間隔をシステムクロック基準でカウントする立上り（立下り）間隔検出カウンタを有することを特徴とする請求項１から３、１１から１３の何れか１項に記載の誤検出防止回路。
【請求項２３】
前記立上り（立下り）間隔検出カウンタは、
前記立上り（立下り）検出回路が出力する立上りパルス又は立下りパルスを、前記データ部の立上り又は立下り間隔をシステムクロック基準でカウントするときのリセットタイミングとすることを特徴とする請求項２２に記載の誤検出防止回路。
【請求項２４】
前記立上り（立下り）間隔検出カウンタは、
前記データ部の立上り又は立下り間隔の判定結果をＯＫとするカウント値の範囲に対してマージンを設定することを特徴とする請求項２２に記載の誤検出防止回路。
【請求項２５】
前記２値判定値のデータ部を抜き出すデータ部エラー検出用ウィンドウを生成する第３のウィンドウ生成回路を有し、
前記データ部エラー検出用ウィンドウは、システムクロック基準でカウントしたときのカウント値であることを特徴とする請求項２２に記載の誤検出防止回路。
【請求項２６】
前記第３のウィンドウ生成回路は、
水平同期タイミングを、前記データ部エラー検出用ウィンドウをシステムクロック基準でカウントするときのリセットタイミングとすることを特徴とする請求項２５に記載の誤検出防止回路。
【請求項２７】
前記第３のウィンドウ生成回路は、
前記データ部エラー検出用ウィンドウに対してマージンを設定することを特徴とする請求項２５に記載の誤検出防止回路。
【請求項２８】
多重化信号をスライスした２値判定値を入力し、
前記２値判定値の識別コードを検出し、前記識別コードを評価する識別コード検出回路を有し、
前記識別コードの評価に対するエラー判定を行い、前記信号に該当しない信号をエラー信号として出力する誤検出防止回路であって、
前記識別コード検出回路が行う識別コードの評価は、前記識別コードに係る２値判定値のパルスが最初に変化する立上り（立下り）位置をフィールド毎に参照するものであることを特徴とする誤検出防止回路。
【請求項２９】
前記立上り（立下り）位置をフィールド毎に参照する際には、特定のクロックを基準信号としたカウントが行われることにより、水平同期信号を基準として２値判定値のパルスが最初に変化する迄の期間を計測することを特徴とする請求項２８に記載の誤検出防止回路。
【請求項３０】
前記特定のクロックは、システムクロックであることを特徴とする請求項２９に記載の誤検出防止回路。
【請求項３１】
前記識別コードは、前記立上り（立下り）位置に係る２値判定値のパルスであり、
前記識別コード検出回路は、各フィールドにおいて前記立上り（立下り）位置を検出し、システムクロック基準でカウントすることにより評価する立上り（立下り）位置検出回路であり、
前記立上り（立下り）位置検出回路が行う前記立上り（立下り）位置の評価は、第１のフィールドにおけるカウント値と、前記第１のフィールドの１フィールド前である第２のフィールドのカウント値との差分をとるものであることを特徴とする請求項２８から３０の何れか１項に記載の誤検出防止回路。
【請求項３２】
前記立上り（立下り）位置検出回路は、
水平同期タイミングを、各フィールドにおける該位置をシステムクロック基準でカウントするときのリセットタイミングとすることを特徴とする請求項３１に記載の誤検出防止回路。
【請求項３３】
前記立上り（立下り）位置検出回路は、
前記差分の判定結果をＯＫとするカウント値の範囲に対してマージンを設定することを特徴とする請求項３１に記載の誤検出防止回路。
【請求項３４】
前記多重化信号はＶＢＩ信号であることを特徴とする請求項１から３３の何れか１項に記載の誤検出防止回路。
【発明の詳細な説明】
【技術分野】
【０００１】
本発明は、ノイズが多い又は外部から侵入した等の異常な信号が多重化信号（映像信号、制御信号など）の一部に重畳されても、それを正常な信号として検出する誤検出を防止する誤検出防止回路に関するものであり、特にＶＢＩ信号の誤検出を防止する誤検出防止回路に関する。
【背景技術】
【０００２】
テレビジョンのような映像信号受信機が映像表示を行うとき、映像表示に係る映像信号だけでなく、文字、記号、制御信号などが映像信号に重畳された多重化信号を受信することにより、文字多重放送、データ多重放送のような映像表示に付随する付加サービスが提供されている。
【０００３】
そのような付加サービスに係る一連の信号は、垂直帰線期間（ＶＢＩ（Vertical Blanking Interval））内に存在している。米国や日本のテレビジョンに使用されているＮＴＳＣ方式では、映像信号に５２５本の走査線を用意しており、この５２５本のうち、各フィールドの最初の２１本相当のタイミングは、走査を開始するためのインターバル用に割り当てられている。このインターバルがＶＢＩと呼ばれるものであり、ＶＢＩ中に存在する文字、記号、制御信号などの信号はＶＢＩ信号と呼ばれている。ＶＢＩ信号の代表的なものとしては、ＶＢＩＤ信号、クローズドキャプション信号などがある。図２４、図２５にＶＢＩＤ信号、クローズドキャプション信号それぞれの波形を示しておく。
【０００４】
図２４に示したＶＢＩＤ信号は、スタートコードが“１０”というビット配列の信号であり、スタートコード、データ領域におけるデータ周期が一定であるという特徴を持つＮＲＺ形式の信号である。
図２５に示したクローズドキャプション信号は、スタートコードが“００１”というビット配列で、１６ｂｉｔのデータ領域を有する信号であり、スタートコードの前に一定周期で所定回数繰り返すクロックランイン信号を有している。
【０００５】
映像信号受信機は、ＶＢＩ信号及び映像信号の垂直同期信号、水平同期信号に同期してデータ領域のデータを読み取ることで、多重放送による映像表示を行う。しかし、放送電波の状態が悪化し、ノイズが多くなることで映像信号が劣化したり、外部から侵入した信号などがあると、表示する映像が乱れることになる。
特に、ＶＢＩ中であってもノイズが多くなるとＶＢＩ信号が劣化し、表示される文字、記号等が乱れたり、文字化けを起こすといった不具合が生じる。そこで、劣化したＶＢＩ信号又は外部から侵入した無関係な信号に関してはエラー信号として検出し、データ領域の異常なデータを表示しないことでそのような不具合を解消する制御が行われている。
【０００６】
ところが、本来エラー信号として検出すべき信号をＶＢＩ信号として検出してしまうといった誤検出をしてしまうために、結果として表示すべきでない文字、記号などを表示してしまうといったケースが生じる。このようなケースを防止するための誤検出防止に関する技術開発が行われている。
【０００７】
図２６に従来の誤検出防止を行う誤検出防止回路の構成ブロック図を示す。従来の誤検出防止回路では、スライスタイミング設定回路５より設定されるスライスタイミングをＶＢＩ信号スライス用のサンプリングクロックとして使用し、前記サンプリングクロックによりサンプリング位置を決定する。
【０００８】
スライスタイミングの設定としては、第１に入力ビデオ信号から同期分離して水平同期信号を基準として水平同期タイミングをとり、スライスタイミング設定回路５が周波数を固定することで設定する方法があり、第２にＰＬＬ４が、同期分離回路３より出力されるクロックランイン期間パルスを基にして、クロックランイン信号に周波数・位相同期させることで設定する方法がある。
【０００９】
一方、入力されたビデオ信号はＬＰＦ１によりノイズが除去され、外部より設定したスライスレベルを基に比較器２より２値判定値が出力される。
【００１０】
スライス回路６は、２値判定値及びスライスタイミング設定用の信号が入力されることにより、スライスレベルに基づきスライスされたＶＢＩ信号であるスライスデータを出力する。このスライスデータに対し、スライスタイミングによるサンプリングを行うことで、サンプリング位置におけるスライス値“１”、“０”を判定し、スライス判定結果が求められる。
【００１１】
スタートコード検出回路１０は、スライス回路６からのスライスデータの入力があって、スライス判定結果が該当ＶＢＩ信号が存在したとするスタートコード（フレーミングコード）と合致したかどうかを評価するスタートコード判定を行う。合致していなければ、エラー信号を出力し、該信号に対する表示を行わないようにすることで誤検出の防止を図っている。
【００１２】
しかし、このような方法はあまり効果的な誤検出防止方法とはいえない。つまり、サンプリング位置におけるＶＢＩ信号に対しスライス判定結果だけを基にしてスタートコードの評価を行うことは、誤検出してしまう可能性が高い。
【００１３】
例えば、該当するＶＢＩ信号が入力されていない場合についても、ノイズにより偶発的にサンプリング位置におけるスライス判定結果がスタートコードに一致した場合、ＶＢＩ信号有りと判定し誤動作を惹き起こしてしまう。従って、入力されたＶＢＩ信号にサンプリング位置と次のサンプリング位置との間に複数のデータ変化点が存在する異常なパルスが入力した場合、ＶＢＩ信号をスライスするサンプリングクロックの間隔のみで判定を行うため、そのような変化点を検知することができずに正常なパルス信号として誤認識するという問題がある。
【００１４】
図２７に従来の誤検出防止回路における誤検出防止の実施結果を示す。（ａ）は、ＶＢＩ信号としてＶＢＩＤ信号が入力された場合を示したものである。設定したスライスレベルに応じて２値判定値が出力されており、一方で水平同期信号を基準としたスライスタイミングによるサンプリング位置が決定されている。サンプリング間隔はデータ周期と同じであるため、スライスデータにおけるスライス判定結果はＶＢＩ信号のスライス値を表した良好なものとなっている。
【００１５】
（ｂ）は、ノイズを多く含んでおり、エラー信号と判定されるべきＶＢＩ信号が入力された場合を示したものである。（ａ）と同様、２値判定値と、サンプリング位置が決定されているが、あるサンプリング位置と、そのとなりのサンプリング位置との間に２値判定値の変化点が存在している状態になっている。従来の方法では、サンプリングクロックの立上りエッジ又は立下りエッジのみで２値判定値に対する“１”又は“０”の判定を行うため、前記変化点を検知することができず、スライス判定結果は（ａ）と同一になってしまう。そのためエラー信号と判定されることなく誤検出してしまう。しかも、従来のようにスタートコードの合致だけを評価するのであれば、評価対象がさらに狭くなり、誤検出の割合が大きくなってしまう。
【００１６】
上述した方法以外にも、誤検出防止に関連する技術が開示されており、代表的なものを説明していく。
【００１７】
特許文献１には、クローズドキャプションやテキストなどのキャラクターデータを再生するデータ抽出回路において、映像信号の劣化や周波数の変動にかかわらず、キャラクタデータを安定的に再生できるように、水平同期信号に同期したデータ抽出用のクロック信号を生成している。そして前記データ抽出用のクロック信号を基にクロックランイン信号のサイクル数の検出及び、スタートビットの検出において基準値Ｈ／Ｌとの一致比較を行うことによって、該当信号か否かの判別を行っている。
【００１８】
しかし、クロックランイン信号のサイクル数のみの検出では、該信号の周期と一致していない信号が入力された場合においても、サイクル数が所定サイクル数になると、クロックランイン信号有りと判定してしまい該当信号である、と誤検出してしまう問題がある。又、スタートビット検出に関しては基準値Ｈ／Ｌとの一致比較になっているため、一致の度合いが閾値付近である擬似信号を誤検出する問題がある。
【００１９】
特許文献２には、乱れた多重化信号が入力された場合にも、抽出データとして誤ったデータが出力されるのを防止するため、水平同期信号と、水平同期信号に比べて周期がより均一化されたＨＤ信号との比較を行うことで異常判定するようにしている。
【００２０】
しかし、水平同期信号が正常であり、検出対象とするＶＢＩ信号以外が入力した場合、異常判定が行われないため、誤検出する可能性が高くなってしまう。
【特許文献１】特開２０００−１９７０１６号公報
【特許文献２】特開平１１−３２３０８号公報
【発明の開示】
【発明が解決しようとする課題】
【００２１】
上述した技術は何れも、基準となるタイミング、値又は信号を誤検出防止用に設定し、対象となる信号と、前記基準となるタイミング、値又は信号とを比較することにより、エラーの有無を判定するといった評価を行っている。しかし、比較による評価法では比較するタイミング、値又は信号が、本来誤検出されるべきＶＢＩ信号が有するそれらと類似していることによりエラー無しと判定してしまう可能性が高くなり、結果として誤検出の割合が大きくなる。
【００２２】
本発明では上記事情を鑑みて、比較による評価だけでなく、ＶＢＩ信号のような多重化信号自身に対して一定の判定基準を設定することにより、その判定基準を満たさないものをエラー信号と判定するといった評価法を採り上げ、その評価により誤検出防止の割合を高めることができる誤検出防止回路を提供することを目的とする。
【課題を解決するための手段】
【００２３】
上記目的を達成するための本発明の第１の態様は、多重化信号をスライスした２値判定値を入力し、前記２値判定値の識別コードを検出し、前記識別コードを評価する識別コード検出回路を有し、前記識別コードの評価に対するエラー判定を行い、前記信号に該当しない信号をエラー信号として出力する誤検出防止回路であって、前記識別コード検出回路が行う識別コードの評価は、前記識別コードに係る２値判定値のパルスの幅を参照するものである。
【００２４】
前記２値判定値のパルスの幅を参照する際には、特定のクロックを基準信号としたカウントが行われることにより、前記２値判定値のパルスの幅を計測する。
【００２５】
前記特定のクロックは、システムクロックであると良い。
【００２６】
そして前記識別コードは、スタートコードであり、前記識別コード検出回路は、前記スタートコードを検出し、評価するスタートコード検出回路であり、前記２値判定値のパルスの幅は、前記スタートコードに係る２値判定値の連続性であるとする。
【００２７】
つまり、先述した判定基準は多重化信号のスタートコードに係る２値判定値の連続性にあるわけだが、その連続性はスタートコードがどの程度の幅を有しているかということを表している。従って、スタートコードの幅が一定範囲内になければエラー信号と判定するわけだが、本発明ではそのスタートコードの幅をシステムクロックを基準信号としてカウントしたときのカウント値で測定するようにしている。カウント値が一定範囲内になければエラー信号と判定する。
【００２８】
ここで前記スタートコード検出回路は、前記スタートコードに対して１又は２以上の連続性の検出範囲を設定し、各検出範囲に対応する２値判定値の連続性をシステムクロック基準でカウントする連続性検出回路を有する。
【００２９】
前記連続性検出回路は、２値判定値の立上り又は立下りを検出し、立上りパルス又は立下りパルスを出力する立上り（立下り）検出回路を有し、前記立上り（立下り）検出回路が出力する立上りパルス又は立下りパルスは、２値判定値の連続性をシステムクロック基準でカウントするときのリセットタイミングとする。
【００３０】
つまり、立上りパルス又は立下りパルスはスタートコードに係る２値判定値の連続性の始端側又は終端側の何れかを表すことになる。
【００３１】
また前記連続性検出回路は、前記連続性の判定結果をＯＫとするカウント値の範囲に対してマージンを設定すると良い。
【００３２】
第１の態様において、前記２値判定値のスタートコードを抜き出すスタートコード検出用ウィンドウを生成する第１のウィンドウ生成回路を有し、前記スタートコード検出用ウィンドウは、システムクロック基準でカウントしたときのカウント値であることを特徴とする。
【００３３】
ここで前記第１のウィンドウ生成回路は、水平同期タイミングを、前記スタートコード検出用ウィンドウをシステムクロック基準でカウントするときのリセットタイミングとする。
【００３４】
また前記第１のウィンドウ生成回路は、前記スタートコード検出用ウィンドウに対してマージンを設定すると良い。
【００３５】
上記目的を達成するための本発明の第２の態様は、多重化信号をスライスした２値判定値を入力し、前記２値判定値の識別コードを検出し、前記識別コードを評価する識別コード検出回路を有し、前記識別コードの評価に対するエラー判定を行い、前記信号に該当しない信号をエラー信号として出力する誤検出防止回路であって、前記識別コード検出回路が行う識別コードの評価は、前記識別コードに係る２値判定値のパルスの周期を参照するものである。
【００３６】
前記２値判定値のパルスの周期を参照する際には、特定のクロックを基準信号としたカウントが行われることにより、前記２値判定値のパルスの周期を計測する。
【００３７】
前記特定のクロックは、システムクロックであると良い。
【００３８】
そして前記識別コードは、クロックランイン信号であり、前記識別コード検出回路は、前記クロックランイン信号を検出し、評価するクロックランイン検出回路であり、前記２値判定値のパルスの周期は、前記クロックランイン信号に係る２値判定値の周期であるとする。
【００３９】
つまり、先述した判定基準として多重化信号のクロックランイン信号に係る２値判定値の周期も対象とするわけだが、その周期はクロックランイン信号がどの程度規則正しい周期性を有しているかということを表している。従って、クロックランイン信号の周期が一定範囲内になければエラー信号と判定するわけだが、本発明ではそのクロックランイン信号の周期をシステムクロックを基準信号としてカウントしたときのカウント値で測定するようにしている。カウント値が一定範囲内になければエラー信号と判定する。
【００４０】
第２の態様において、前記２値判定値の立上り又は立下りを検出し、立上りパルス又は立下りパルスを出力する立上り（立下り）検出回路をさらに有し、前記クロックランイン検出回路は、前記立上りパルス又は立下りパルスより前記クロックランイン信号の立上り又は立下り回数をカウントする立上り（立下り）回数カウンタと、前記クロックランイン信号の周期をシステムクロック基準でカウントする周期検出カウンタを有することを特徴とする。
【００４１】
ここで前記周期検出カウンタは、前記立上り（立下り）検出回路が出力する立上りパルス又は立下りパルスを、前記クロックランイン信号の周期をシステムクロック基準でカウントするときのリセットタイミングとする。
【００４２】
前記立上り（立下り）回数カウンタは、前記クロックランイン信号の立上り又は立下り回数の判定結果をＯＫとするカウント値の範囲に対してマージンを設定すると良い。
【００４３】
また前記周期検出カウンタは、前記クロックランイン信号の周期の判定結果をＯＫとするカウント値の範囲に対してマージンを設定すると良い。
【００４４】
第２の態様において、前記２値判定値のクロックランイン信号を抜き出すクロックランイン検出用ウィンドウを生成する第２のウィンドウ生成回路を有し、前記クロックランイン検出用ウィンドウは、システムクロック基準でカウントしたときのカウント値であることを特徴とする。
【００４５】
ここで前記第２のウィンドウ生成回路は、水平同期タイミングを、前記クロックランイン検出用ウィンドウをシステムクロック基準でカウントするときのリセットタイミングとする。
【００４６】
また前記第２のウィンドウ生成回路は、前記クロックランイン検出用ウィンドウに対してマージンを設定すると良い。
【００４７】
上記目的を達成するための本発明の第３の態様は、第１又は第２の態様において、前記識別コードは、データ部であり、前記識別コード検出回路は、前記データ部を検出し、評価するデータ部エラー検出回路であり、前記２値判定値の立上り又は立下りを検出し、立上りパルス又は立下りパルスを出力する立上り（立下り）検出回路を有し、前記データ部エラー検出回路は、前記立上りパルス又は立下りパルスより前記データ部の立上り又は立下り間隔をシステムクロック基準でカウントする立上り（立下り）間隔検出カウンタを有するものである。
【００４８】
データ部の立上り又は立下り間隔に一定の規則があることが予め判っている多重化信号に対しては、その規則性を利用した判定基準を設けることが可能である。従って、データ部の間隔が一定範囲内になければエラー信号と判定するわけだが、本発明ではそのデータ部の間隔をシステムクロックを基準信号としてカウントしたときのカウント値で測定するようにしている。カウント値が一定範囲内になければエラー信号と判定する。
【００４９】
ここで前記立上り（立下り）間隔検出カウンタは、前記立上り（立下り）検出回路が出力する立上りパルス又は立下りパルスを、前記データ部の立上り又は立下り間隔をシステムクロック基準でカウントするときのリセットタイミングとする。
【００５０】
前記立上り（立下り）間隔検出カウンタは、前記データ部の立上り又は立下り間隔の判定結果をＯＫとするカウント値の範囲に対してマージンを設定すると良い。
【００５１】
第３の態様において、前記２値判定値のデータ部を抜き出すデータ部エラー検出用ウィンドウを生成する第３のウィンドウ生成回路を有し、前記データ部エラー検出用ウィンドウは、システムクロック基準でカウントしたときのカウント値であることを特徴とする。
【００５２】
ここで前記第３のウィンドウ生成回路は、水平同期タイミングを、前記データ部エラー検出用ウィンドウをシステムクロック基準でカウントするときのリセットタイミングとする。
【００５３】
また前記第３のウィンドウ生成回路は、前記データ部エラー検出用ウィンドウに対してマージンを設定すると良い。
【００５４】
上記目的を達成するための本発明の第４の態様は、多重化信号をスライスした２値判定値を入力し、前記２値判定値の識別コードを検出し、前記識別コードを評価する識別コード検出回路を有し、前記識別コードの評価に対するエラー判定を行い、前記信号に該当しない信号をエラー信号として出力する誤検出防止回路であって、前記識別コード検出回路が行う識別コードの評価は、前記識別コードに係る２値判定値のパルスが最初に変化する立上り（立下り）位置をフィールド毎に参照するものである。
【００５５】
前記立上り（立下り）位置をフィールド毎に参照する際には、特定のクロックを基準信号としたカウントが行われることにより、水平同期信号を基準として２値判定値のパルスが最初に変化する迄の期間を計測する。
【００５６】
前記特定のクロックは、システムクロックであると良い。
【００５７】
そして前記識別コードは、前記立上り（立下り）位置に係る２値判定値のパルスであり、前記識別コード検出回路は、各フィールドにおいて前記立上り（立下り）位置を検出し、システムクロック基準でカウントすることにより評価する立上り（立下り）位置検出回路であり、前記立上り（立下り）位置検出回路が行う前記立上り（立下り）位置の評価は、第１のフィールドにおけるカウント値と、前記第１のフィールドの１フィールド前である第２のフィールドのカウント値との差分をとるものである。
【００５８】
つまり、正常な多重化信号の立上り（立下り）位置は一定間隔で現れるということを前提とした判断基準を設けることが可能である。従って、立上り（立下り）位置が水平同期信号を検出してから一定期間内になければエラー信号と判定するわけだが、本発明ではその立上り（立下り）位置をシステムクロックを基準信号としてカウントしたときのカウント値で測定するようにしている。カウント値が一定範囲内になければエラー信号と判定する。
【００５９】
ここで前記立上り（立下り）位置検出回路は、水平同期タイミングを、各フィールドにおける該位置をシステムクロック基準でカウントするときのリセットタイミングとする。
【００６０】
また前記立上り（立下り）位置検出回路は、前記差分の判定結果をＯＫとするカウント値の範囲に対してマージンを設定すると良い。
【００６１】
第１から第４の態様において、前記多重化信号はＶＢＩＤ信号やクローズドキャプション信号に代表されるＶＢＩ信号であるとき、誤検出を防止して、多重放送における文字表示が乱れたり、文字化けしたりする不具合が解消される。
【発明の効果】
【００６２】
本発明では２値判定値のパルスの幅又は周期を参照することにより、ＶＢＩ信号のような多重化信号自身に対して一定の判定基準を設定する。そしてその判定基準を満たさないものをエラー信号と判定することにより、誤検出防止の割合を高めることができる。
【発明を実施するための最良の形態】
【００６３】
以下、本発明を実施するための最良の形態として、特にＶＢＩ中に存在するビデオ信号であるＶＢＩ信号の誤検出防止に関する説明を添付図面を参照しながら説明する。
【００６４】
＜実施の形態１＞
まず、本発明の実施の形態１における誤検出防止回路の構成を図１に示す。実施の形態１の誤検出防止回路は、ＬＰＦ１、比較器２、同期分離回路３、ＰＬＬ４、スライスタイミング設定回路５、スライス回路６、ウィンドウ生成回路７、スタートコード検出回路１０、エラー判定回路１５により構成されている。
【００６５】
ＬＰＦ１は、入力されるビデオ信号の高周波成分を除去することにより、ノイズを除去する機能を有する回路である。
【００６６】
比較器２は、ＬＰＦ１によりノイズ除去されたビデオ信号と、外部より入力されるスライスレベルを入力し、それらを基にして２値判定値を出力する回路である。ビデオ信号のデータ領域に対するスライスレベルの設定において、データ領域のデータが小振幅であればスライスレベルの間隔を小さく設定し、大振幅であればその間隔を大きく設定することにより、少ない数のスライスレベルでも２値判定値の出力が有効なものとなり、スライスする範囲を広げることができる。
【００６７】
図２に描かれているデータ領域のデータに対し、（ａ）のように８段階にスライスするスライスレベルを等間隔に設定すると、データの振幅をすべてカバーすることができない。さらに大振幅の箇所に数本のスライスレベルを設定したり、小振幅の箇所にスライスレベルを設定することができなくなる。しかし、（ｂ）のようにスライスレベルの間隔を変更することにより、＊１の箇所ではデータが小振幅であるのでその範囲に設定するスライスレベルの数を増やし、間隔を小さくする。又、＊２の箇所ではデータが大振幅であるのでその範囲に設定するスライスレベルの数を減らし、間隔を大きくする。結果として、＊３のような大きな値を示す箇所に対してもスライスレベルを設定することが可能となり、少ない数のスライスレベルでも２値判定値の出力が有効になる。
【００６８】
同期分離回路３は、入力されるビデオ信号の水平同期信号又は垂直同期信号を基準として同期タイミングをとるための回路である。本実施形態では、同期分離回路３にて水平同期信号を基準とすることにより、水平同期信号を出力する。及びＶＢＩ信号を検出する期間であることを表す該当ＶＢＩ信号検出期間パルスを出力する。又、クローズドキャプション信号のようなクロックランイン信号を含むＶＢＩ信号に対しては、前記クロックランイン信号に相当する期間を表すクロックランイン期間パルスを出力する。
【００６９】
ＰＬＬ４は、入力するビデオ信号に対して周波数及び位相のズレのない出力信号を生成する回路であって、本実施形態ではＶＢＩ信号にクロックランイン信号が含まれている場合、クロックランイン期間パルスが入力されることによりクロックランイン信号と同期することで、周波数及び位相のズレのない信号を出力する。
【００７０】
スライスタイミング設定回路５は、同期分離回路３からの水平同期信号を基にしてサンプリングクロック用のスライスタイミングを設定する回路である。ＶＢＩ信号にクロックランイン信号が含まれている場合、ＰＬＬ４により周波数及び位相のズレのない出力信号も基にしてスライスタイミングを設定する。
【００７１】
スライス回路６は、比較器２より出力される２値判定値及びスライスタイミング設定回路５より設定されるスライスタイミングにより、スライスレベルに基づきスライスされたＶＢＩ信号であるスライスデータを出力する回路である。このスライスデータに対し、スライスタイミングによるサンプリングを行うことで、サンプリング位置におけるスライス値“１”、“０”を判定し、スライス判定結果が求められる。
【００７２】
ウィンドウ生成回路７は、同期分離回路３による水平同期信号及び該当ＶＢＩ信号検出期間パルスが入力され、該当ＶＢＩ信号のスタートコード部を抜き出すためのウィンドウを生成する回路である。つまりこのウィンドウはスタートコードが存在する期間を含むように設定され、水平同期信号を基準としてスタートコードを検出するために生成される。従って、このような処理を経てスタートコード検出用のウィンドウ内に存在するパルスは正常の状態ではスタートコードであり、他の信号（クロックランイン信号、データ領域）ではないという保証がなされる。
【００７３】
ウィンドウ生成回路７がスタートコード検出用のウィンドウを生成する動作について図３、４を用いて詳細に説明する。図３は、ウィンドウ生成回路の構成ブロック図であり、図４は、ウィンドウ出力におけるカウント値−クロック数（又はクロックカウント値）のグラフである。ウィンドウ生成回路は、フリーランカウンタＷ１と比較器Ｗ２とから構成されており、水平同期信号及び該当ＶＢＩ信号検出期間パルスを基にしてウィンドウ信号を出力する。出力するウィンドウ信号において、該当ＶＢＩ信号検出期間のうち特定の期間に相当する箇所をＨ出力する。ウィンドウ生成回路７も同様の構成を有しており、出力するウィンドウ信号はスタートコード検出用のウィンドウになる。なお、ウィンドウ生成回路が出力するウィンドウ信号はスタートコード用に限らないが、詳細は後ほど説明する。
【００７４】
フリーランカウンタＷ１は、該当ＶＢＩ信号検出期間パルスの入力に対し、その検出期間をシステムクロックを基準として図４のＴ1〜Ｔ4までカウントし、そのカウント値を出力する。このカウント値は、水平同期タイミングによりリセットされる（図４のＴ1、Ｔ4に相当）。従って、水平同期信号間のＶＢＩ信号の検出期間は、フリーランカウンタＷ１より出力されるカウント値で表されることになる。以上の動作手順を図５のフローチャートに示しておく。
【００７５】
比較器Ｗ２は、カウント値及びウィンドウ信号をＨ出力するための上限・下限値の入力に対し、ウィンドウ信号を出力する。つまり図４に示すようにカウント値に対しウィンドウ信号のＨ出力を行うための範囲を外部で指定することにより、その範囲内のカウント値に相当するＶＢＩ信号の検出期間をＨ出力とするウィンドウ信号を出力する。Ｈ出力の始端はＴ2、終端はＴ3である。なお、カウント値に応じたウィンドウ信号のＨ出力をウィンドウＨ出力と呼ぶことにする。ウィンドウ生成回路７においては、ウィンドウＨ出力の上限をスタートコードの終端側に設定し、下限をスタートコードの始端側に設定することによりスタートコードが存在する範囲にてウィンドウがＨ出力されることになり、スタートコード検出用ウィンドウが生成されることになる。
【００７６】
但し、出力するスタートコード検出用ウィンドウについては、スタートコードの範囲に加えてＶＢＩ信号のデータ周期の１／２程度のマージンを前後にとると良い。あまり厳格にウィンドウの幅を設定すると、本来ＶＢＩ信号であるものに対してもエラー信号であると判定する可能性があるからである。そのようなマージンをとるためには、ウィンドウＨ出力の上限・下限値をスタートコードの範囲より広くなるように設定すればよい。
【００７７】
スタートコード検出回路１０は、比較器２による２値判定値及びウィンドウ生成回路７によるスタートコード検出用ウィンドウが入力されることによりスタートコードの判定を行い、その判定結果を出力する回路である。この回路にてスタートコードの判定を行うにあたり、スタートコード検出用ウィンドウ内にある２値判定値“０／１”の評価、つまりスタートコードにおける“０／１”の評価が行われる。その評価方法としては２値判定値“０／１”の連続性をシステムクロック基準で評価していくものである。つまり、システムクロックを基準信号としたカウントを行い、２値判定値の“０”又は“１”が検出され続ける期間をカウント値として計測するというものである。その連続性が該当ＶＢＩ信号のスタートコードパターンに一致した場合に該当ＶＢＩ信号有りと判定する。
【００７８】
上述した連続性の評価を行う方法を図６〜８を用いて詳細に説明する。図６には、スタートコード検出回路１０の構成ブロック図が示されており、図７には、スタートコード検出用ウィンドウ内のスタートコードのパルスが示されている。又、図８には、図６中のＨ（Ｌ）連続性検出ｋ（Ｈｋ（Ｌｋ））の構成ブロック図が示されており、図９には、図８のＨ（Ｌ）連続性判定結果出力における立上り（立下り）間隔値−クロック数（又はクロックカウント値）のグラフが示されている。
【００７９】
図６に示すようにスタートコード検出回路１０は、ｎ個のＨ連続性検出ｋ（Ｈｋ）と、ｎ個のＬ連続性検出ｋ（Ｌｋ）（ｋ＝１、２、…ｎ）と、ＡＮＤ回路から構成されている。各連続性検出の回路には比較器２による２値判定値及びウィンドウ生成回路７によるスタートコード検出用ウィンドウが入力される。
【００８０】
Ｈ連続性検出１（Ｈ１）は、図７のスタートコードが有するスタートコード期間のうちＨ連続性検出１範囲（Ｔ1〜Ｔ2）におけるパルスで“１”判定が続く期間を計測する回路である。“１”判定が続く期間が所定範囲内であればＨ連続性検出１範囲においては正常なスタートコードであると判定し、Ｈ連続性判定結果としてＰＡＳＳを出力する。
Ｌ連続性検出１（Ｌ１）は、図７のスタートコードが有するスタートコード期間のうちＬ連続性検出１範囲（Ｔ3〜Ｔ4）におけるパルスで“０”判定が続く期間を計測する回路である。“０”判定が続く期間が所定範囲内であればＬ連続性検出１範囲においては正常なスタートコードであると判定し、Ｈ連続性判定結果としてＰＡＳＳを出力する。
以下同様にＨ（Ｌ）連続性検出ｋ（Ｈｋ（Ｌｋ））においても同様の処理が行われ、ＰＡＳＳを出力する。各Ｈ（Ｌ）連続性検出ｋ（Ｈｋ（Ｌｋ））の回路よりＰＡＳＳ出力があってスタートコード判定が出力される。
【００８１】
Ｈ（Ｌ）連続性検出ｋ（Ｈｋ（Ｌｋ））（ｋ＝１、２、…）がスタートコード検出用ウィンドウ及び２値判定値を用いてＨ（Ｌ）連続性の判定結果を出力する動作を図８、９を用いて詳細に説明する。図８は、Ｈ（Ｌ）連続性検出ｋ（Ｈｋ（Ｌｋ））（ｋ＝１、２、…）の構成ブロック図であり、図９は、Ｈ（Ｌ）連続性判定結果出力における立上り（立下り）間隔値−クロック数（又はクロックカウント値）のグラフである。Ｈ（Ｌ）連続性検出ｋ（Ｈｋ（Ｌｋ））は立上り（立下り）検出回路Ｈｋ（１）（Ｌｋ（１））と、フリーランカウンタＨｋ（２）（Ｌｋ（２））と、比較器Ｈｋ（３）（Ｌｋ（３））とから構成されている。
【００８２】
立上り（立下り）検出回路Ｈｋ（１）（Ｌｋ（１））は、２値判定値の入力に対し、“０”→“１”の変化点を検出し立上りパルスとして出力する役割及び“１”→“０”の変化点を検出し立下りパルスとして出力する役割を備えている。それらの役割を行う立上り（立下り）検出回路Ｈｋ（１）（Ｌｋ（１））の回路図を図１０に示しておく。
【００８３】
フリーランカウンタＨｋ（２）（Ｌｋ（２））は、スタートコード検出用ウィンドウ及び２値判定値の入力に対し、そのウィンドウ内のスタートコードのｋ番目のＨ（Ｌ）連続性をシステムクロックを基準としてカウントし、そのカウント値（間隔値）を出力する。このカウント値は、立上りパルスまたは立下りパルスによりリセットされる（図９のＴ1、Ｔ2、Ｔ3に相当）。従って、スタートコード検出用ウィンドウ内のスタートコードのｋ番目のＨ（Ｌ）連続性は、フリーランカウンタＨｋ（２）（Ｌｋ（２））より出力されるカウント値で表されることになる。以上の動作手順は図５のフローチャートで示した手順により達成される。
【００８４】
比較器Ｈｋ（３）（Ｌｋ（３））は、カウント値（間隔値）及び各連続性検出ｋの範囲の上限・下限値の入力に対し、Ｈ（Ｌ）連続性判定結果を出力する。つまり図９に示すようにカウント値に対しｋ番目のＨ（Ｌ）連続性の範囲のＰＡＳＳ領域の上限・下限を外部で指定することにより、その範囲内のカウント値に相当する立上り（立下り）間隔値を基にＨ（Ｌ）連続性判定結果を出力する。カウント値（間隔値）が前記ＰＡＳＳ領域内にあれば、Ｈ（Ｌ）連続性判定結果としてＰＡＳＳ出力を行う。
【００８５】
但し、ｋ番目のＨ（Ｌ）連続性の判定において、各Ｈ（Ｌ）連続性検出ｋの範囲内の２値判定値に対してそのデータ周期の１／８程度のマージンを前後にとると良い。あまり厳格に範囲を設定すると、本来ＶＢＩ信号であるものに対してもエラー信号であると判定する可能性があるからである。そのようなマージンをとるためには、各Ｈ（Ｌ）連続性ｋのＰＡＳＳ領域の上限・下限値を各Ｈ（Ｌ）連続性検出ｋの範囲より広くなるように設定すればよい。
【００８６】
図２４に示すＶＢＩＤ信号を例に採ると、ＶＢＩＤ信号のデータ周期をＤとして、スタートコード検出用ウィンドウ内でＨ連続性検出１（Ｈ１）にて“１”判定の期間が７／８Ｄ〜９／８Ｄの範囲で連続する、つまりＨ連続性１のＰＡＳＳ領域内で立上り間隔値をカウントする。そして、その直後に、Ｌ連続性検出１（Ｌ１）にて“０”判定の期間が７／８Ｄ以上連続する、つまりＬ連続性１のＰＡＳＳ領域内で立下り間隔値をカウントする。そのような場合にスタートコード有りと判定し、スタートコード検出回路１０にてＰＡＳＳ出力される。
【００８７】
エラー判定回路１５は、スタートコード検出回路１０にて出力されたスタートコード判定によりエラー判定を行う。スタートコード判定がＰＡＳＳであれば、該当ＶＢＩ信号有りと判定し、エラー信号を出力することはない。スタートコード判定がＮＧであれば、該当ＶＢＩ信号無しと判定し、スタートコードのエラー検出であるエラー信号を出力する。
【００８８】
＜実施の形態２＞
次に、本発明の実施の形態２における誤検出防止回路の構成を図１１に示す。実施の形態２の誤検出防止回路は、ＬＰＦ１、比較器２、同期分離回路３、ＰＬＬ４、スライスタイミング設定回路５、スライス回路６、ウィンドウ生成回路７、ウィンドウ生成回路９、スタートコード検出回路１０、立上り（立下り）検出回路１１、クロックランイン検出回路１３、エラー判定回路１５により構成されている。実施の形態１に対してウィンドウ生成回路９、立上り（立下り）検出回路１１、クロックランイン検出回路１３が追加された構成となっている。そこで実施の形態１で採り上げられている構成ブロックに関しては同等の機能を有するため、その説明を省略する。
【００８９】
ウィンドウ生成回路９は、同期分離回路３による水平同期信号及び該当ＶＢＩ信号検出期間パルスが入力され、該当ＶＢＩ信号のクロックランイン部を抜き出すためのウィンドウを生成する回路である。つまりこのウィンドウはクロックランイン信号が存在する期間を含むように設定され、水平同期信号を基準としてクロックランイン信号を検出するために生成される。従って、このような処理を経てクロックランイン検出用のウィンドウ内に存在するパルスは正常の状態ではクロックランイン信号であり、他の信号（スタートコード、データ領域など）ではないという保証がなされる。
【００９０】
＜実施の形態１＞にて説明しているが、ウィンドウ生成回路９は、図３に示したウィンドウ生成回路と同様の構成を有しており、出力するウィンドウ信号はクロックランイン検出用のウィンドウになる。クロックランイン検出用のウィンドウ信号の生成に係る動作も図５に示したフローチャートと同様であるため、ウィンドウ生成回路９に関する説明を省略する。
【００９１】
立上り（立下り）検出回路１１は、＜実施の形態１＞内の立上り（立下り）検出回路Ｈｋ（１）（Ｌｋ（１））と同様の構成である。従って、立上り（立下り）検出回路１１の回路図は図１０と同様になるので説明を省略する。
【００９２】
クロックランイン検出回路１３は、立上り（立下り）検出回路１１による立上り（立下り）パルス及びウィンドウ生成回路９によるクロックランイン検出用のウィンドウが入力されることによりクロックランイン信号の判定を行い、その判定結果を出力する回路である。この回路にてクロックランイン信号の判定を行うあたり、クロックランイン検出用ウィンドウ内にあるクロックランイン信号の回数及び周期を評価する。評価対象となるクロックランイン信号の回数及び周期が該当ＶＢＩ信号のクロックランイン信号パターンに一致した場合に該当ＶＢＩ信号有りと判定する。
【００９３】
上述したクロックランイン信号の回数及び周期の評価を行う方法を図１２、１３を用いて詳細に説明する。図１２には、クロックランイン検出回路１３の構成ブロック図が示されており、図１３には、周期判定結果出力におけるカウント値（周期）−クロック数（又はクロックカウント値）のグラフが示されている。
【００９４】
図１２に示すようにクロックランイン検出回路１３は、立上り（立下り）回数カウンタ１３１と、周期検出カウンタ１３２と、比較器１３３、１３４により構成されている。立上り（立下り）回数カウンタ１３１および周期検出カウンタ１３２にはウィンドウ生成回路９によるクロックランイン検出用のウィンドウ及び立上り（立下り）検出回路１１による立上り（立下り）パルスが入力される。また、立上り（立下り）パルスは比較タイミング用として比較器１３４に入力される。
【００９５】
立上り（立下り）回数カウンタ１３１は、クロックランイン検出用ウィンドウ内にあるクロックランイン信号の立上り（立下り）パルスの数を計測する回路である。クロックランイン検出用ウィンドウと立上り（立下り）パルスがＡＮＤ回路に入力され、enable信号が出力される。立上り（立下り）回数カウンタ１３１がそのような計測を行うときは、enable信号に基づきカウント値（回数）を出力する。このカウント値が立上り（立下り）パルスの数に相当する。
【００９６】
周期検出カウンタ１３２は、クロックランイン検出用ウィンドウ及び立上り（立下り）パルスの入力に対し、そのウィンドウ内のクロックランイン信号の周期をシステムクロックを基準としてカウントし、そのカウント値（周期）を出力する。このカウント値は、立上りパルスまたは立下りパルスによりリセットされる。従って、クロックランイン信号の周期は、周期検出カウンタ１３２より出力されるカウント値で表されることになる。以上の動作手順は図５のフローチャートで示した手順により達成される。
【００９７】
比較器１３３は、カウント値（回数）及びクロックランイン信号の回数判定用の上限・下限値が入力され、立上り（立下り）回数判定結果を出力する。つまりカウント値（回数）が外部より入力した上限・下限値の範囲内にあるかどうかを計測する。カウント値（回数）がその上限・下限値の範囲内にあれば、判定ＯＫとした立上り（立下り）回数判定結果を出力する。
【００９８】
比較器１３４は、カウント値（周期）及びクロックランイン信号の周期判定用の上限・下限値及び比較タイミング用として立上り（立下り）パルスが入力され、カウント値（周期）をリセットすることにより周期判定結果を出力する。つまり図１３に示すように立上り（立下り）のタイミング（Ｔ1、Ｔ2、Ｔ3に相当）に由来するカウント値（周期）が外部より入力した上限・下限値の範囲内にあるかどうかを計測する。カウント値（周期）がその上限・下限値の範囲内にあれば、判定ＯＫとした周期判定結果を出力する。
【００９９】
図２５のクローズドキャプション信号のように、クロックランイン信号があるＶＢＩ信号に対しては実施の形態１よりも実施の形態２の構成を用いた方が効果的である。つまりスタートコードの検出だけでなくクロックランイン信号の周期・回数の判定結果を加える方が効果的である。クロックランイン信号の周期・回数の判定には２値判定値の変化点（“０”→“１”又は“１”→“０”）を求め、この変化点の周期及び回数を測定する。
【０１００】
エラー判定回路１５は、スタートコード検出回路１０にて出力されたスタートコード判定及びクロックランイン検出回路１３にて出力された立上り（立下り）回数判定結果、周期判定結果によりエラー判定を行う。スタートコード判定がＰＡＳＳであり、立上り（立下り）回数判定結果、周期判定結果の判定がＯＫであれば、該当ＶＢＩ信号有りと判定し、エラー信号を出力することはない。スタートコード判定、立上り（立下り）回数判定結果、周期判定結果の判定の何れかがＮＧであれば、該当ＶＢＩ信号無しと判定し、エラー信号を出力する。
【０１０１】
＜実施の形態３＞
次に、本発明の実施の形態３における誤検出防止回路の構成を図１４に示す。実施の形態３の誤検出防止回路は、ＬＰＦ１、比較器２、同期分離回路３、ＰＬＬ４、スライスタイミング設定回路５、スライス回路６、ウィンドウ生成回路７、ウィンドウ生成回路８、スタートコード検出回路１０、立上り（立下り）検出回路１１、データ部エラー検出回路１２、エラー判定回路１５により構成されている。実施の形態１に対してウィンドウ生成回路８、立上り（立下り）検出回路１１、データ部エラー検出回路１２が追加された構成となっている。そこで実施の形態１で採り上げられている構成ブロックに関しては同等の機能を有するため、その説明を省略する。
【０１０２】
ウィンドウ生成回路８は、同期分離回路３による水平同期信号及び該当ＶＢＩ信号検出期間パルスが入力され、該当ＶＢＩ信号のデータ部を抜き出すためのウィンドウを生成する回路である。つまりこのウィンドウはデータ部が存在する期間を含むように設定され、水平同期信号を基準としてデータ部のエラーを検出するために生成される。従って、このような処理を経てデータ検出用のウィンドウ内に存在するパルスは正常の状態ではデータ領域であり、他の信号（クロックランイン信号など）ではないという保証がなされる。
【０１０３】
＜実施の形態１＞にて説明しているが、ウィンドウ生成回路８は、図３に示したウィンドウ生成回路と同様の構成を有しており、出力するウィンドウ信号はデータ部のエラー検出用のウィンドウになる。データ部エラー検出用のウィンドウ信号の生成に係る動作も図５に示したフローチャートと同様であるため、ウィンドウ生成回路８に関する説明を省略する。
【０１０４】
なお、検出対象となるＶＢＩ信号であり、スタートコード（フレーミングコード）のデータ変化点の周期がデータ部の変化点の周期と一致する場合には、ウィンドウ生成回路８がスタートコードの領域をデータ部に加えた領域に対してエラー検出用のウィンドウを生成しても良い。
【０１０５】
又、出力するエラー検出用のウィンドウには、データ領域の範囲に加えてＶＢＩ信号のデータ周期Ｄの１／２程度のマージンαを前後にとると良い。このような処理は、実施の形態１におけるスタートコード検出用ウィンドウのマージン設定と同様である。
【０１０６】
立上り（立下り）検出回路１１は、＜実施の形態１＞内の立上り（立下り）検出回路Ｈｋ（１）（Ｌｋ（１））と同様の構成である。従って、立上り（立下り）検出回路１１の回路図は図６と同様になるので説明を省略する。
【０１０７】
データ部エラー検出回路１２は、立上り（立下り）検出回路１１による立上り（立下り）パルス及びウィンドウ生成回路８によるデータ部エラー検出用ウィンドウが入力されることによるデータ部のエラー判定を行い、データ部エラー検出判定結果を出力する回路である。この回路にてデータ部のエラー検出を行うにあたり、データ部エラー検出用ウィンドウ内にある２値判定値“０／１”の評価、つまりデータ部における“０／１”の評価が行われる。その評価方法としては２値判定値の立上り（立下り）が存在する間隔をシステムクロック基準で評価していくものである。つまり、２値判定値の立上り（“０”→“１”）の変化点又は立下り（“１”→“０”）の変化点をシステムクロックを基準信号としてカウントし、立上り（立下り）が存在する間隔をカウント値として計測するというものである。その間隔値が該当ＶＢＩ信号のデータ部における所定の条件を満たせば該当ＶＢＩ信号有りと判定する。
【０１０８】
上記間隔値の評価を行う方法を図１５〜１７を用いて詳細に説明する。図１５には、データ部エラー検出回路１２の構成ブロック図が示されており、図１６には、データ部エラー検出判定結果出力における立上り（立下り）間隔値−クロック数（又はクロックカウント値）のグラフが示されている。又、図１７にはＶＢＩ信号のデータ周期によるＶＢＩ信号の判定に関するものを示しており、特にＶＢＩＤ信号における判定に関するものを図示したものである。
【０１０９】
図１５に示すようにデータ部エラー検出回路１２は、立上り（立下り）間隔検出カウンタ１２１と、比較器１２２から構成されている。立上り（立下り）間隔検出カウンタ１２１にはウィンドウ生成回路８によるデータ部エラー検出用ウィンドウ及び（立下り）検出回路１１による立上り（立下り）パルスが入力される。また、立上り（立下り）パルスは比較タイミング用として比較器１２２に入力される。
【０１１０】
立上り（立下り）間隔検出カウンタ１２１は、データ部エラー検出用ウィンドウ及び立上り（立下り）パルスの入力に対し、そのウィンドウ内の立上り（立下り）が存在する間隔をシステムクロックを基準としてカウントし、そのカウント値として立上り（立下り）間隔値を出力する。このカウント値は、立上りパルスまたは立下りパルスによりリセットされる。従って、立上り（立下り）が存在する間隔は、立上り（立下り）間隔検出カウンタ１２１より出力されるカウント値で表されることになる。以上の動作手順は図５のフローチャートで示した手順により達成される。
【０１１１】
比較器１２２は、立上り（立下り）間隔値及びデータ部のエラー検出用の上限・下限値及び比較タイミング用として立上り（立下り）パルスが入力され、立上り（立下り）間隔値をリセットすることによりデータ部エラー検出判定結果を出力する。つまり図１６に示すように立上り（立下り）のタイミング（Ｔ1、Ｔ2、Ｔ3、Ｔ4に相当）に由来する立上り（立下り）間隔値が外部より入力した上限・下限値の範囲内にあるかどうかを計測する。立上り（立下り）間隔値がその上限・下限値の範囲内（Ｐａｓｓ領域）にあれば、判定ＯＫとしたデータ部エラー検出判定結果を出力する。
【０１１２】
図１６において、データ周期Ｄ毎にマージンαを立上り（立下り）間隔値の前後に加えた範囲をＰａｓｓ領域とし、それ以外の領域をＦａｉｌ領域としている。つまり、下限の設定を２Ｄ−α、３Ｄ−α、…とし、上限の設定を２Ｄ＋α、３Ｄ＋α、…としている。立上り（立下り）タイミングがあってからの次のタイミングがあるまでにカウントした間隔値がＰａｓｓ領域にあれば、該当ＶＢＩ信号のデータであるとしてＰＡＳＳ出力をし、Ｆａｉｌ領域にあれば該当ＶＢＩ信号外のデータであるとしてＦＡＩＬ出力する。
データ部エラー検出用ウィンドウ内の２値判定値に対し立上り（立下り）タイミングを捉えＰＡＳＳ出力又はＦＡＩＬ出力することでデータ部エラー検出判定結果が出力される。
【０１１３】
このような判定が行えるのは、図１７に示したＶＢＩＤ信号を代表とするＮＲＺ形式の信号においては、そのデータ部における立上り又は立下りのリセットタイミングが理論的にデータ周期Ｄの２倍、３倍、…以外の位置にくることはあり得ないためである。つまり立上り（立下り）間隔検出カウンタ１２１がカウントするカウント値は２Ｄ、３Ｄ、…になるべきである。
【０１１４】
従って、マージンαを適当に設定してデータ周期Ｄの２倍±α、３倍±α、…以外の位置にリセットタイミングがあった場合、該当ＶＢＩ信号無しとしてＦＡＩＬ出力する。図１７の下図においてエラー信号に対し、α＝１／２Ｄとすると、間隔値が１．５Ｄ以下の間隔でリセットタイミングがきた場合にはＦＡＩＬ出力する。
【０１１５】
エラー判定回路１５は、スタートコード検出回路１０にて出力されたスタートコード判定及びデータ部エラー検出回路１２にて出力されたデータ部エラー検出判定結果によりエラー判定を行う。スタートコード判定がＰＡＳＳであり、データ部エラー検出判定結果の判定がＯＫであれば、該当ＶＢＩ信号有りと判定し、エラー信号を出力することはない。スタートコード判定、データ部エラー検出判定結果の判定の何れかがＮＧであれば、該当ＶＢＩ信号無しと判定し、エラー信号を出力する。
【０１１６】
＜実施の形態３＞におけるデータ部のエラー検出の方法はＶＢＩＤ信号のようなスタートコード（フレーミングコード）が単純なもの（“１”、“０”）について効果的である。
【０１１７】
＜実施の形態４＞
次に、本発明の実施の形態４における誤検出防止回路の構成を図１８に示す。実施の形態４の誤検出防止回路は、ＬＰＦ１、比較器２、同期分離回路３、ＰＬＬ４、スライスタイミング設定回路５、スライス回路６、ウィンドウ生成回路７、ウィンドウ生成回路８、ウィンドウ生成回路９、スタートコード検出回路１０、立上り（立下り）検出回路１１、データ部エラー検出回路１２、クロックランイン検出回路１３、エラー判定回路１５により構成されている。つまり構成としては実施の形態２及び実施の形態３を足し合わせたものになっており、動作処理としても両者を足し合わせたものになっているため詳細な説明は省略する。従って、実施の形態４では入力されたビデオ信号のスタートコード、データ部、クロックランイン信号に対してウィンドウを設定していき、そのウィンドウ内でそれぞれの２値判定値を評価することになる。
【０１１８】
エラー判定回路１５は、スタートコード検出回路１０にて出力されたスタートコード判定、データ部エラー検出回路１２にて出力されたデータ部エラー検出判定結果、及びクロックランイン検出回路１３にて出力された立上り（立下り）回数判定結果、周期判定結果によりエラー判定を行う。スタートコード判定がＰＡＳＳであり、立上り（立下り）回数判定結果、周期判定結果の判定、データ部エラー検出判定結果の判定がそれぞれＯＫであれば、該当ＶＢＩ信号有りと判定し、エラー信号を出力することはない。そうでなければ、該当ＶＢＩ信号無しと判定し、エラー信号を出力する。
【０１１９】
＜実施の形態５＞
次に、本発明の実施の形態５における誤検出防止回路の構成を図１９に示す。実施の形態５の誤検出防止回路は、ＬＰＦ１、比較器２、同期分離回路３、ＰＬＬ４、スライスタイミング設定回路５、スライス回路６、ウィンドウ生成回路７、ウィンドウ生成回路８、ウィンドウ生成回路９、スタートコード検出回路１０、立上り（立下り）検出回路１１、データ部エラー検出回路１２、クロックランイン検出回路１３、第１立ち上がり位置検出回路１４、エラー判定回路１５により構成されている。実施の形態４に対して第１立ち上がり位置検出回路１４が追加された構成となっている。そこで実施の形態１で採り上げられている構成ブロックに関しては同等の機能を有するため、その説明を省略する。
【０１２０】
第１立上り位置検出回路１４は、同期分離回路３による水平同期信号、該当ＶＢＩ信号検出期間パルス及び比較器２による２値判定値が入力され、各フィールドにおける最初の立上り位置を検出し、エラー判定に係る判定結果を出力する回路である。この回路にて、フィールド内の水平同期信号を基準として最初に２値判定値が“０”→“１”に変化する位置が検出され、対象とするフィールドとその前のフィールドにおける該位置のズレが評価される。この第１立上り位置をシステムクロック基準で評価する。つまり、水平同期信号が検出されてから第１立上り位置を検出するまでの期間をシステムクロックを基準としたカウント値として計測する。両フィールドにおける各々のカウント値に大きな差があるときは該当ＶＢＩ信号無しと判定する。
【０１２１】
上述した第１立上り位置のずれを評価する方法を図２０、２１を用いて詳細に説明する。図２０には、第１立上り位置検出回路１４の構成ブロック図が示されており、図２１には、開始位置判定結果出力における第１立ち上がり差分値−フィールド（時間）のグラフが示されている。
【０１２２】
図２０に示すように第１立上り位置検出回路１４は、フリーランカウンタ１４１と、立上り（立下り）検出回路１４２、レジスタ１４３、１４４、比較器１４５を有している。同期分離回路３による水平同期信号、該当ＶＢＩ信号検出期間パルス及び比較器２による２値判定値の入力が行われる。
【０１２３】
フリーランカウンタ１４１は、実施の形態１におけるフリーランカウンタＷ１と同様の構成を有し、であり、図５のフローチャートに示す動作処理を行い、水平同期信号間のＶＢＩ信号の検出期間をカウント値で表す。
【０１２４】
立上り（立下り）検出回路１４２は、実施の形態１における立上り（立下り）検出回路Ｈｋ（１）（Ｌｋ（１））と同様の構成を有し、２値判定値の立上り（立下り）をパルスを出力する。
【０１２５】
その後、該当ＶＢＩ信号検出期間パルス及び立上り（立下り）をパルスがＡＮＤ回路に入力され、該検出期間内の立上り（立下り）をパルスを出力する。
【０１２６】
レジスタ１４３は、フリーランカウンタ１４１が出力したカウント値と、ＡＮＤ回路より出力された該当ＶＢＩ信号検出期間内の立上り（立下り）をパルスの入力があって、該当ＶＢＩ信号検出期間中、ｋ番目のフィールド内の第１立上り検出時のカウント値Ｃkを保持する回路である。
【０１２７】
レジスタ１４４は、レジスタ１４３が保持するカウント値よりも１フィールド前のカウント値Ｃk-1を保持する回路である。カウント値Ｃk及びＣk-1は差分回路に入力され、両フィールド間のカウント値の差として、第１立上り差分値Ｄk（＝Ｃk−Ｃk-1）が出力される。
【０１２８】
比較器１４５は、第１立上り差分値Ｄk及び差分上限・下限の入力に対し、開始位置判定結果を出力する。第１立上り差分値Ｄkが外部で指定した差分上限・下限の範囲内にあれば、判定ＯＫとしてＰＡＳＳ出力する。範囲外であればＦＡＩＬ出力する。図２１のグラフにおいては、ｎ番目のフィールドｎ（Ｔn〜Ｔn+1に相当）に対する第１立上り差分値Ｄn、ｎ＋１番目のフィールドｎ＋１（Ｔn+1〜Ｔn+2に相当）に対する第１立上り差分値Ｄn+1が差分上限・下限の範囲内にありＰＡＳＳ出力されている。一方、ｎ＋２番目のフィールドｎ＋２（Ｔn+2〜Ｔn+3に相当）に対する第１立上り差分値Ｄn+2が差分上限・下限の範囲外にありＦＡＩＬ出力されている。
【０１２９】
エラー判定回路１５は、スタートコード検出回路１０にて出力されたスタートコード判定、データ部エラー検出回路１２にて出力されたデータ部エラー検出判定結果、及びクロックランイン検出回路１３にて出力された立上り（立下り）回数判定結果、周期判定結果、第１立上り位置検出回路にて出力された開始位置判定結果によりエラー判定を行う。スタートコード判定がＰＡＳＳであり、立上り（立下り）回数判定結果、周期判定結果の判定、データ部エラー検出判定結果、開始位置判定結果の判定がそれぞれＯＫであれば、該当ＶＢＩ信号有りと判定し、エラー信号を出力することはない。そうでなければ、該当ＶＢＩ信号無しと判定し、エラー信号を出力する。
【０１３０】
図２２にて、ビデオ信号としてクローズドキャプション信号が入力されて、実施の形態１から５における処理が実施された際のタイミングチャートを示す。図３のウィンドウ生成回路は、システムクロック（図示せず）を基準としてどの箇所にどのくらいの期間ウィンドウのＨ出力を行っているのかを確認することができる。ウィンドウ生成回路９より出力されるクロックランイン信号検出用ウィンドウは、クローズドキャプション信号のクロックランイン信号がある期間（Ｔ1〜Ｔ2）に対し、適当なマージンを設けた期間分Ｈ出力されている。またウィンドウ生成回路７より出力されるスタートコード検出用ウィンドウは、クローズドキャプション信号のスタートコードがある期間（Ｔ2〜Ｔ3）に対し、適当なマージンを設けた期間分Ｈ出力されている。同様にウィンドウ生成回路８より出力されるデータ領域検出用ウィンドウは、クローズドキャプション信号のデータ領域がある期間（Ｔ3〜Ｔ4）に対し、適当なマージンを設けた期間分Ｈ出力されている。
【０１３１】
２値判定値は、比較器２に外部より入力したスライスレベルに基づくものであり、２値判定値に対する立上り検出結果は上記各ウィンドウ内において検出されたスライス値の変化点（“０”→“１”）においてＨ出力されている。
【０１３２】
図２３に本実施形態の誤検出防止回路における誤検出防止の実施結果を示す。そのうち（ａ）はＶＢＩＤ信号を入力したものであり、（ｂ）はエラーと判定された信号を入力したものである。
【０１３３】
図２３の（ａ）は図２７の（ａ）と同様に、スライスデータにおけるスライス判定結果はＶＢＩ信号のスライス値を表した良好なものとなっている。立上り判定結果においてもスタートコード検出用ウィンドウ、データ領域検出用ウィンドウ内で“０”→“１”に相当する２値判定値の変化点を検出した良好なものになっている。
【０１３４】
図２３の（ｂ）は図２７の（ｂ）と同様に、スライス判定結果のよる判定のみでは、あるサンプリング位置と、そのとなりのサンプリング位置との間に２値判定値の変化点を検知できず、（ａ）と同一の判定結果になってしまいエラー信号が出力されない。しかし、立上り判定結果において、（ａ）のときと比較してスタートコード検出用ウィンドウ、データ領域検出用ウィンドウ内では、サンプリング位置同士の間に存在する“０”→“１”に相当する２値判定値の変化点を検出したものになっている。その結果、スタートコード検出回路１０はスタートコード判定においてそのエラー検出としてＨ出力をしており、データ部エラー検出回路１２は（ｂ）にだけ存在する変化点をデータ領域エラー検出としてＨ出力している。エラー判定回路１５はそのＨ出力を基にエラー信号を出力し、誤検出を防ぐことができる。
【０１３５】
なお、上述した形態は本発明を実施するための一例であり、これに限定するものではない。従って、本発明の要旨を変更しない範囲において種々変形することが可能である。
【０１３６】
例えば、スタートコード、クロックランイン信号に係る２値判定値のパルスの幅又は周期等を参照する際にシステムクロックを基準信号としたカウントを行うものであったが、幅又は周期等をカウントするための専用のクロックを設けても良い。
【０１３７】
又本実施形態においてマージンは、ウィンドウ生成回路により生成されたウィンドウ、スタートコード検出回路１０におけるＨ（Ｌ）連続性の判定等に対して設定されたものであるが、これらに限定するものではない。マージンの設定自体は、比較器Ｗ２、比較器Ｈｋ（３）（Ｌｋ（３））（ｋ＝１、２、…）等に入力される上限値を大きくしたり、下限値を小さくすれば良い。従ってそのような上限・下限値の変更を各比較器に対して施せる値に対して、マージンを設定することができる。
【０１３８】
又＜実施の形態５＞において最初に２値判定値が“０”→“１”に変化する第１立上り位置を検出する構成をとったが、逆に最初に２値判定値が“１”→“０”に変化する第１立下り位置を検出する構成を採っても良い。又、第１立上り位置もしくは第１立下り位置を検出するだけでなく、何番目の立上り位置もしくは立下り位置でも検出可能とするような構成を採っても良い。
【図面の簡単な説明】
【０１３９】
【図１】実施の形態１における誤検出防止回路の構成ブロック図である。
【図２】データ領域のデータに対し、スライスレベル間隔の設定に関する図である。
【図３】ウィンドウ生成回路の構成ブロック図である。
【図４】ウィンドウ出力におけるカウント値−クロック数（又はクロックカウント値）のグラフである。
【図５】フリーランカウンタの動作処理を表すフローチャートである。
【図６】スタートコード検出回路１０の構成ブロック図である。
【図７】スタートコード検出用ウィンドウ内のスタートコードのパルスを図示したものである。
【図８】Ｈ（Ｌ）連続性検出ｋ（Ｈｋ（Ｌｋ））の構成ブロック図である。
【図９】Ｈ（Ｌ）連続性判定結果出力における立上り（立下り）間隔値−クロック数（又はクロックカウント値）のグラフである。
【図１０】立上り（立下り）検出回路の回路図である。
【図１１】実施の形態２における誤検出防止回路の構成ブロック図である。
【図１２】クロックランイン検出回路１３の構成ブロック図である。
【図１３】周期判定結果出力におけるカウント値（周期）−クロック数（又はクロックカウント値）のグラフである。
【図１４】実施の形態３における誤検出防止回路の構成ブロック図である。
【図１５】データ部エラー検出回路１２の構成ブロック図である。
【図１６】データ部エラー検出判定結果出力における立上り（立下り）間隔値−クロック数（又はクロックカウント値）のグラフである。
【図１７】ＶＢＩ信号のデータ周期によるＶＢＩ信号の判定に関する図である。
【図１８】実施の形態４における誤検出防止回路の構成ブロック図である。
【図１９】実施の形態５における誤検出防止回路の構成ブロックである。
【図２０】第１立上り位置検出回路１４の構成ブロック図である。
【図２１】開始位置判定結果出力における第１立ち上がり差分値−フィールド（時間）のグラフである。
【図２２】クローズドキャプション信号入力におけるタイミングチャートである。
【図２３】本実施形態の誤検出防止回路における誤検出防止の実施結果であり、ＶＢＩＤ信号を入力したもの（ａ）と、エラーと判定された信号を入力したもの（ｂ）である。
【図２４】ＶＢＩ信号の一例としてＶＢＩＤ信号の波形を図示したものである。
【図２５】クロックランイン信号を含んだＶＢＩ信号の一例としてクローズドキャプション信号の波形を図示したものである。
【図２６】従来の誤検出防止回路の構成ブロック図である。
【図２７】従来の誤検出防止回路における誤検出防止の実施結果であり、ＶＢＩＤ信号を入力したもの（ａ）と、エラーと判定されない信号を入力したもの（ｂ）である。
【符号の説明】
【０１４０】
１    ＬＰＦ
２    比較器
３    同期分離回路
４    ＰＬＬ
５    スライスタイミング設定回路
６    スライス回路
７    ウィンドウ生成回路（スタートコード）
８    ウィンドウ生成回路（データ部）
９    ウィンドウ生成回路（クロックランイン部）
１０    スタートコード検出回路
１１    立上り（立下り）検出回路
１２    データ部エラー検出回路
１３    クロックランイン検出回路
１４    第１立上り位置検出回路
１５    エラー判定回路
Ｗ１    フリーランカウンタ
Ｗ２    比較器
Ｈｋ    Ｈ連続性検出ｋ（ｋ＝１、２、…）
Ｌｋ    Ｌ連続性検出ｋ（ｋ＝１、２、…）
Ｈｋ（１）（Ｌｋ（１））（ｋ＝１、２、…）    立上り（立下り）検出回路
Ｈｋ（２）（Ｌｋ（２））（ｋ＝１、２、…）    フリーランカウンタ
Ｈｋ（３）（Ｌｋ（３））（ｋ＝１、２、…）    比較器
１２１    立上り（立下り）間隔検出カウンタ
１２２    比較器
１３１    立上り（立下り）回数カウンタ
１３２    周期検出カウンタ
１３３    比較器
１３４    比較器
１４１    フリーランカウンタ
１４２    立上り（立下り）検出回路
１４３    レジスタ
１４４    レジスタ（１フィールド前の値）
１４５    比較器
【図１】
2005252713.tif 000003
【図２】
2005252713.tif 000004
【図３】
2005252713.tif 000005
【図４】
2005252713.tif 000006
【図５】
2005252713.tif 000007
【図６】
2005252713.tif 000008
【図７】
2005252713.tif 000009
【図８】
2005252713.tif 000010
【図９】
2005252713.tif 000011
【図１０】
2005252713.tif 000012
【図１１】
2005252713.tif 000013
【図１２】
2005252713.tif 000014
【図１３】
2005252713.tif 000015
【図１４】
2005252713.tif 000016
【図１５】
2005252713.tif 000017
【図１６】
2005252713.tif 000018
【図１７】
2005252713.tif 000019
【図１８】
2005252713.tif 000020
【図１９】
2005252713.tif 000021
【図２０】
2005252713.tif 000022
【図２１】
2005252713.tif 000023
【図２２】
2005252713.tif 000024
【図２３】
2005252713.tif 000025
【図２４】
2005252713.tif 000026
【図２５】
2005252713.tif 000027
【図２６】
2005252713.tif 000028
【図２７】
2005252713.tif 000029